(57)【要約】【課題】簡易な構成により、定電圧制御がされていない出力電圧の上昇を抑制したマルチ出力型のスイッチング電源装置を提供する。【解決手段】第１の整流回路１０の出力電圧Ｖ1が所定電圧となるようにトランジスタ２をＯＮ／ＯＦＦ動作させる定電圧制御を実行する定電圧制御手段３と、第２の整流回路３０から第２の負荷Ｌ2への通電回路の導通／遮断を切替えるトランジスタ４０とを備え、第１の整流回路１０に負荷レベルが変動する第１の負荷が接続されると共に、第２の整流回路にトランジスタ４０を介して第２の負荷Ｌ2が接続されたスイッチング電源装置において、スイッチ回路４０と並列にカソードを第２の整流回路３０側として接続され、ツェナー電圧Ｖzが第２の整流回路３０を構成する平滑コンデンサ３２の規定耐圧Ｖu以下であるツェナーダイオード４１を備える。【選択図】  図１
2006333578.tif 000002
【特許請求の範囲】
【請求項１】
複数の出力タップを有するトランスと、該トランスの一次コイルと直列に接続されたスイッチング素子と、該一次コイルと該スイッチング素子とからなる直列回路に接続された直流電源と、
前記トランスの第１の出力タップと接続され、該第１の出力タップから出力される交流電圧を整流して第１の電圧を出力する第１の整流回路と、該第１の電圧を検出する電圧検出手段と、該第１の電圧が所定電圧となるように前記スイッチング素子をＯＮ／ＯＦＦ動作させる定電圧制御を実行する定電圧制御手段と、
前記トランスの第２の出力タップと接続され、該第２の出力タップから出力される交流電圧を整流して第２の電圧を出力する第２の整流回路と、該第２の整流回路を負荷に接続する通電回路に設けられて該通電回路の導通／遮断を切替えるスイッチ回路とを備え、
前記第１の整流回路に第１の負荷が接続されると共に、前記第２の整流回路に第２の負荷が接続されたスイッチング電源装置において、
前記スイッチ回路と並列にカソードを前記第２の整流回路側として接続され、ツェナー電圧が前記第２の整流回路を構成する平滑コンデンサの規定耐圧以下であるツェナーダイオードを備えたことを特徴とするスイッチング電源装置。
【請求項２】
複数の出力タップを有するトランスと、該トランスの一次コイルと直列に接続されたスイッチング素子と、該一次コイルと該スイッチング素子とからなる直列回路に接続された直流電源と、
前記トランスの第１の出力タップと接続され、該第１の出力タップから出力される交流電圧を整流して第１の電圧を出力する第１の整流回路と、該第１の電圧を検出する電圧検出手段と、該第１の電圧が所定電圧となるように前記スイッチング素子をＯＮ／ＯＦＦ動作させる定電圧制御を実行する定電圧制御手段と、
前記トランスの第２の出力タップと接続され、該第２の出力タップから出力される交流電圧を整流して第２の電圧を出力する第２の整流回路と、該第２の整流回路を負荷に接続する通電回路に設けられて該通電回路の導通／遮断を切替えるスイッチ回路とを備え、
前記第１の整流回路に第１の負荷が接続されると共に、前記第２の整流回路に第２の負荷が接続されたスイッチング電源装置において、
前記第２の整流回路の出力電圧が、前記第２の整流回路を構成する平滑コンデンサの規定耐圧以下に設定された上限電圧以上となったときに、前記スイッチ回路を閉成して前記第２の整流回路を前記第２の負荷に接続する通電回路を導通状態とするスイッチ回路閉成手段を備えたことを特徴とするスイッチング電源装置。
【請求項３】
前記スイッチ回路閉成手段は、ツェナー電圧が前記上限電圧であって前記第２の整流回路の正側の出力部にカソード側が接続されたツェナーダイオードと、前記第２の整流回路の負側の出力部にエミッタが接続されると共にベースに該ツェナーダイオードのアノード側が接続されたトランジスタとを有し、該トランジスタのコレクタ出力により前記スイッチ回路を閉成させることを特徴とする請求項２記載のスイッチング電源装置。
【請求項４】
前記スイッチ回路閉成手段は、ツェナー電圧が前記上限電圧であって前記第２の整流回路の負側の出力部にアノード側が接続されたツェナーダイオードと、前記第２の整流回路の正側の出力部にエミッタが接続されると共にベースに該ツェナーダイオードのカソード側が接続されたトランジスタとを有し、該トランジスタのエミッタ出力により前記スイッチ回路を閉成させることを特徴とする請求項２記載のスイッチング電源装置。
【発明の詳細な説明】
【技術分野】
【０００１】
本発明は、複数のレベルの直流電圧を出力するマルチ出力型のスイッチング電源装置に関する。
【背景技術】
【０００２】
従来より、例えば図３に示したように、出力タップを２個（ｂ11−ｂ12，ｃ11−ｃ12）有するトランス１００の２次コイルＮ12，Ｎ13に整流回路１１０，１１１を接続して、２種類の直流電圧Ｖ11，Ｖ12を生成するマルチ出力型のスイッチング電源装置が知られている（例えば、特許文献１参照）。
【０００３】
かかるスイッチング電源装置においては、出力電圧Ｖ11のレベルを一定に保つための構成が備えられている。すなわち、出力電圧Ｖ11を分圧する抵抗１２０，１２１と、抵抗１２０，１２１により分圧された電圧Ｖfbが基準電圧となるように、トランジスタ１０１に出力するパルス信号ＰsにおけるＯＮ期間を変更する定電圧制御手段１０２とが備えられている。
【０００４】
定電圧制御手段１０２は一定周期のパルス信号Ｐsをトランジスタ１０１のベースに入力し、該パルスＰs信号の１周期におけるトランジスタ１０１のＯＮ期間を変更することによって、１次コイルＮ11の平均通電量を変更する。そして、これに応じて、２次コイルＮ12の平均通電量が変更されるため、出力タップＰ11，Ｐ12に接続された負荷Ｌ11への電力供給量が変化しても、整流回路１０の出力電圧Ｖ11が所定電圧に維持されるように制御することができる。
【０００５】
しかし、このようにして出力電圧Ｖ11が一定となるように１次コイルＮ11の平均通電量を制御した場合、それに応じて２次コイルＮ13の平均通電量も変化する。そして、その結果、整流回路１１１に入力される交流電圧のレベルが変化する。この場合、負荷Ｌ11に対する電力供給量の変動幅が大きいと、それに応じて整流回路１１１の出力電圧Ｖ12の変動幅が大きくなる。
【０００６】
そして、このように整流回路１１１の出力電圧Ｖ12の上昇に対応するために、整流回路１１１を構成する平滑コンデンサ１１２に高耐圧のものを使用すると、平滑コンデンサ１１２の価格がアップすると共に平滑コンデンサ１１２のサイズも大きくなるという不都合がある。
【０００７】
そこで、整流回路１１１の出力電圧Ｖ12の変動を抑制するために、(1)トランス１００の巻線構造を工夫する、(2)整流回路１１１の出力にブリーダ抵抗を接続し、常時整流回路１１１から該ブリーダ抵抗に通電する、(3)整流回路１１１の出力電圧Ｖ12を監視して、出力電圧Ｖ12が基準電圧を超えないように整流回路１１１への電圧入力を制限する、等の手法が採用されている
しかし、(1)による効果には限界があり、(2)による場合はブリーダ抵抗への通電により消費電力が増加するという不都合があった。また、(3)による場合は電圧監視回路等が必要となるため、部品の実装スペースが増大すると共に、部品コストも高くなるという不都合があった。
【特許文献１】特許第３４９０３２１号公報
【発明の開示】
【発明が解決しようとする課題】
【０００８】
本発明は上記背景を鑑みてなされたものであり、マルチ出力型のスイッチング電源において、簡易な構成により、定電圧制御がなされていない出力電圧の上昇を抑制することができるスイッチング電源装置を提供することを目的とする。
【課題を解決するための手段】
【０００９】
本発明は上記目的を達成するためになされたものであり、複数の出力タップを有するトランスと、該トランスの一次コイルと直列に接続されたスイッチング素子と、該一次コイルと該スイッチング素子とからなる直列回路に接続された直流電源と、前記トランスの第１の出力タップと接続され、該第１の出力タップから出力される交流電圧を整流して第１の電圧を出力する第１の整流回路と、該第１の電圧を検出する電圧検出手段と、該第１の電圧が所定電圧となるように前記スイッチング素子をＯＮ／ＯＦＦ動作させる定電圧制御を実行する定電圧制御手段と、前記トランスの第２の出力タップと接続され、該第２の出力タップから出力される交流電圧を整流して第２の電圧を出力する第２の整流回路と、該第２の整流回路を負荷に接続する通電回路に設けられて該通電回路の導通／遮断を切替えるスイッチ回路とを備え、前記第１の整流回路に第１の負荷が接続されると共に、前記第２の整流回路に第２の負荷が接続されたスイッチング電源装置の改良に関する。
【００１０】
そして、本発明の第１の態様は、前記スイッチ回路と並列にカソードを前記第２の整流回路側として接続され、ツェナー電圧が前記第２の整流回路を構成する平滑コンデンサの規定耐圧以下であるツェナーダイオードを備えたことを特徴とする。
【００１１】
かかる本発明においては、前記第１の負荷のレベルが変動しても、前記定電圧制御手段により実行される定電圧制御によって、前記第１の整流回路から出力される第１の電圧が前記所定電圧となるように前記スイッチング素子のＯＮ／ＯＦＦ動作が制御される。そして、このスイッチング素子のＯＮ／ＯＦＦ動作定電圧制御の実行に伴って、前記第２の整流回路に入力される前記第２の出力タップの出力電圧が変動する。しかし、このように前記第２の出力タップの出力電圧が変動して、前記スイッチ回路間の電圧が前記ツェナーダイオードのツェナー電圧に達すると、前記ツェナーダイオードが導通状態となり、前記ツェナーダイオードを介して前記第２の整流回路から前記第２の負荷に電流が流れ込む。
【００１２】
そして、かかるツェナーダイオードの作動により、前記第２の整流回路の平滑コンデンサに印加される電圧が、該平滑コンデンサの規定耐圧よりも低いツェナーダイオードのツェナー電圧以下に維持される。そのため、該平滑コンデンサに印加される電圧が該平滑コンデンサの規定耐圧を越えることを防止することができる。このように、本発明によれば、前記ツェナーダイオードを前記スイッチ回路に並列に接続するという極めて簡易な構成により、前記第２の整流回路の出力電圧の上昇を抑制することができる。また、この場合、前記平滑コンデンサとして、サイズが大きく高価となる高耐圧のものを使用する必要がないため、前記平滑コンデンサの小型化と低コスト化を図ることができる。
【００１３】
また、本発明の第２の態様は、前記第２の整流回路の出力電圧が、前記第２の整流回路を構成する平滑コンデンサの規定耐圧以下に設定された上限電圧以上となったときに、前記スイッチ回路を閉成して前記第２の整流回路を前記第２の負荷に接続する通電回路を導通状態とするスイッチ回路閉成手段を備えたことを特徴とする。
【００１４】
かかる本発明によれば、前記第２の整流回路の出力電圧が前記上限電圧以上となったときに、前記スイッチ回路閉成手段により前記スイッチ回路が閉成される。これにより、前記第２の整流回路から前記第２の負荷に通電されて、前記平滑コンデンサに印加される電圧の上昇が抑制されるため、簡易な構成により、前記平滑コンデンサに印加される電圧が前記平滑コンデンサの規定耐圧を超えることを防止することができる。この場合、前記平滑コンデンサとして、サイズが大きく高価となる高耐圧のものを使用する必要がないため、前記平滑コンデンサの小型化と低コスト化を図ることができる。
【００１５】
また、前記第２の態様において、前記スイッチ回路閉成手段は、ツェナー電圧が前記上限電圧であって前記第２の整流回路の正側の出力部にカソード側が接続されたツェナーダイオードと、前記第２の整流回路の負側の出力部にエミッタが接続されると共にベースに該ツェナーダイオードのアノード側が接続されたトランジスタとを有し、該トランジスタのコレクタ出力により前記スイッチ回路を閉成させることを特徴とする。
【００１６】
かかる本発明によれば、前記第２の整流回路の出力電圧が前記上限電圧まで上昇すると、前記ツェナーダイオードが導通状態となって、前記第２の整流回路の正側の出力部から前記ツェナーダイオードを介して前記トランジスタのベースに電流が供給される。これにより、前記トランジスタがＯＮして該トランジスタのコレクタとエミッタ間が導通状態となるため、前記トランジスタのコレクタ出力により前記スイッチ回路を閉成状態として前記第２の整流回路から前記第２の負荷に通電し、前記平滑コンデンサに印加される電圧が該平滑コンデンサの規定耐圧を超えることを防止することができる。
【００１７】
また、前記第２の態様において、前記スイッチ回路閉成手段は、ツェナー電圧が前記上限電圧であって前記第２の整流回路の負側の出力部にアノード側が接続されたツェナーダイオードと、前記第２の整流回路の正側の出力部にエミッタが接続されると共にベースに該ツェナーダイオードのカソード側が接続されたトランジスタとを有し、該トランジスタのエミッタ出力により前記スイッチ回路を閉成させることを特徴とする。
【００１８】
かかる本発明によれば、前記第２の整流回路の出力電圧が前記上限電圧まで上昇すると、前記ツェナーダイオードが導通状態となって、前記トランジスタのコレクタが前記ツェナーダイオードを介して前記第２の整流回路の負側の出力部に導通するため、前記トランジスタのエミッタからベースに電流が供給される。これにより、前記トランジスタがＯＮして該トランジスタのエミッタとコレクタ間が導通状態となるため、前記トランジスタのエミッタ出力により前記スイッチ回路を閉成状態として前記第２の整流回路から前記第２の負荷に通電して、前記平滑コンデンサに印加される電圧が該平滑コンデンサの規定耐圧を超えることを防止することができる。
【発明を実施するための最良の形態】
【００１９】
本発明の実施の形態について、図１〜図２を参照して説明する。図１は本発明のスイッチング電源装置の第１の実施の形態の回路構成図、図２は本発明のスイッチング電源装置の第２及び第３の実施の形態の回路構成図である。
【００２０】
［第１の実施の形態］先ず、図１を参照して、第１の実施の形態について説明する。図１に示したスイッチング電源装置は、１つの直流電圧Ｖinから２つの直流電圧Ｖ1，Ｖ2を生成して出力するマルチ出力型のスイッチング電源装置であり、１次コイルＮ1と２次コイルＮ2，Ｎ3を有するトランス１と、トランス１と直列に接続されたトランジスタ２（本発明のスイッチング素子に相当する）と、トランジスタ２のベースに所定周期のパルス信号Ｐsを出力してトランジスタ２をＯＮ／ＯＦＦさせる定電圧制御手段３とが備えられている。
【００２１】
トランジスタ２のＯＮ／ＯＦＦにより、１次コイルＮ1とトランジスタ２とからなる直列回路に接続された直流電源（図示しない）からの直流電圧Ｖinの通電／遮断が切り替えられて、１次コイルＮ1に交流電圧が生じる。そして、これに伴って２次コイルＮ2，Ｎ3に交流電圧が発生する。
【００２２】
２次コイルＮ2の出力タップｂ1，ｂ2は、ダイオード１１と平滑コンデンサ１２とからなる第１の整流回路１０と接続され、２次コイルＮ2から出力される交流電圧が第１の整流回路１０により整流されて直流電圧Ｖ1（本発明の第１の電圧に相当する）が生成される。また、第１の整流回路１０と出力端子Ｐ2との間には、第１の整流回路１０と出力端子Ｐ2間の接続回路の導通／遮断を切替えるためのトランジスタ２２と、トランジスタ２２のベースに駆動信号を出力する駆動回路２３とが備えられている。
【００２３】
駆動回路２３は、第１の負荷Ｌ1を作動させるときはトランジスタ２２のベースに駆動信号を出力してトランジスタ２２をＯＮし、これにより第１の整流回路１０から第１の負荷Ｌ1に電力供給する。一方、第１の負荷Ｌ1を停止状態とするときには、駆動回路２３は、トランジスタ２２のベースに対する駆動信号の出力を停止してトランジスタ２２をＯＦＦし、これにより第１の整流回路１０から第１の負荷Ｌ1への電力供給を遮断する。
【００２４】
さらに、第１の整流回路１０の出力電圧Ｖ1を分圧する抵抗２０，２１（本発明の電圧検出手段に相当する）が備えられ、分圧されたフィードバック電圧Ｖfbが定電圧制御手段３に入力される。そして、定電圧制御手段３は、フィードバック電圧ＶfbがＶ1の目標電圧（例えば１６Ｖ）に応じて設定された基準電圧と一致するように、パルス信号Ｐsの１周期におけるＯＮ期間の割合（デューティ比）を変更する定電圧制御を実行する。これにより、出力端子Ｐ1，Ｐ2を介して第１の整流回路１０と接続された第１の負荷Ｌ1の負荷のレベルが変動しても、第１の整流回路１０の出力電圧Ｖ1が目標電圧に維持されるように、１次コイルＮ1の平均通電電流が制御される。
【００２５】
次に、２次コイルＮ3の出力タップｃ1，ｃ2は、ダイオード３１と平滑コンデンサ３２とからなる第２の整流回路３０と接続され、２次コイルＮ3から出力される交流電圧が第２の整流回路３０により整流されて直流電圧Ｖ2（本発明の第２の電圧に相当する）が生成される。また、第２の整流回路３０と出力端子Ｐ4との間には、第２の整流回路３０と出力端子Ｐ4間の接続回路の導通／遮断を切替えるためのトランジスタ４０（本発明のスイッチ回路に相当する）と、トランジスタ４０のベースに駆動信号を出力する駆動回路４２が備えられている。
【００２６】
駆動回路４２は、第２の負荷Ｌ2を作動させるときはトランジスタ４０のベースに駆動信号を出力してトランジスタ４０をＯＮし、これにより第２の整流回路３０から第２の負荷Ｌ2に電力供給する。一方、第２の負荷Ｌ2を停止状態とするときには、駆動回路４２は、トランジスタ４０のベースに対する駆動信号の出力を停止してトランジスタ４０をＯＦＦし、これにより第２の整流回路３０から第２の負荷への電力供給を遮断する。
【００２７】
また、トランジスタ４０のコレクタ−エミッタ間には、カソードをトランジスタ４０のコレクタ側（第２の整流回路３０側）としてツェナーダイオード４１が並列に接続されている。ここで、ツェナーダイオード４１のツェナー電圧Ｖzは、第２の整流回路３０を構成する平滑コンデンサ３２の規定耐圧Ｖu以下（Ｖz≦Ｖu）に設定されている。
【００２８】
このようにして構成されたスイッチング電源装置においては、上述したように、第１の整流回路１０については定電圧制御が実行されるため、第１の負荷Ｌ1のレベルが変動しても第１の整流回路１０の出力電圧Ｖ1はほぼ一定に保たれる。それに対して、第２の整流回路３０については定電流制御が実行されないため、第２の整流回路３０に入力される２次コイルＮ3の出力電圧は、第１の整流回路１０に対する定電圧制御の実行に伴う１次コイルＮ1の通電量の変化に応じて変動する。
【００２９】
そして、駆動回路４２によりトランジスタ４０がＯＮ状態とされているときは、第２の負荷Ｌ2による電力消費によって、平滑コンデンサ３２の端子間電圧の上昇が抑制されるため、１次コイルＮ1の通電電流が増加しても平滑コンデンサ３２の端子間電圧が規定耐圧を越えることはない。
【００３０】
一方、駆動回路４２によりトランジスタ４０がＯＦＦ状態とされているときには、第２の負荷Ｌ2に電力供給されないため、１次コイルＮ1の通電電流が増加したときに平滑コンデンサ３２の端子間電圧が上昇して規定耐圧Ｖuを超えるおそれがある。ツェナーダイオード４１は、このように１次コイルＮ1の通電電流が増加したときに、平滑コンデンサ３２の端子間電圧が上昇して規定耐圧Ｖuを超えることを防止するために備えられたものである。
【００３１】
トランジスタ４０がＯＦＦ状態にあるときに、１次コイルＮ1の通電電流の増加により２次コイルＮ3の出力電圧が増加すると、それに応じて平滑コンデンサ３２の端子間電圧（≒ツェナーダイオード４１の端子間電圧）が増大する。そして、平滑コンデンサ３２の端子間電圧がツェナーダイオード４１のツェナー電圧Ｖzに達すると、ツェナーダイオード４１が導通状態となり、トランジスタ４０をバイパスして、第２の整流回路３０からツェナーダイオード４１を介して第２の負荷Ｌ2に電力供給されるようになる。
【００３２】
これにより、平滑コンデンサ３２の端子間電圧の上昇が抑制されて、平滑コンデンサ３２の端子間電圧がツェナーダイオード４１のツェナー電圧Ｖz以下に維持されるため、平滑コンデンサ３２の端子間電圧が規定耐圧Ｖuを超えることを防止することができる。なお、このようにして第２の負荷Ｌ2に電力供給されても、電気負荷は電力供給がなされた後、さらに何らかの運転開始指示（運転スイッチの操作等）がなされなければ運転を開始せず、待機状態となるのが一般的である。そのため、ツェナーダイオード４１を介して第２の負荷Ｌ2に電力供給しても、特に問題は生じないと考えられる。
【００３３】
そして、この場合、平滑コンデンサ３２として、サイズが大きくなると共に価格も高くなる高耐圧のものを用いる必要がないため、平滑コンデンサ３２の小型化とコストダウンを図ることができる。
【００３４】
［第２の実施の形態］次に、図２（ａ）を参照して、第２の実施の形態について説明する。第２の実施の形態は、上述した第１の実施の形態に対して、平滑コンデンサ３２の端子間電圧が規定耐圧Ｖuを超えることを防止するための回路構成のみが相違する。そのため、他の構成については説明を省略する。
【００３５】
第２の実施の形態においては、カソードが第２の整流回路３０の正側の出力部に接続されたツェナーダイオード５０と、エミッタが第２の整流回路３０の負側の出力部に接続されると共にベースがツェナーダイオード５０のアノードに接続されたトランジスタ５１（本発明のトランジスタに相当する）とが備えられている。なお、ツェナーダイオード５０とトランジスタ５１とにより、本発明のスイッチ回路閉成手段が構成される。
【００３６】
ここで、ツェナーダイオード５０のツェナー電圧Ｖz（本発明の上限電圧に相当する）は、上述した第１の実施の形態のツェナーダイオード４１と同様に、平滑コンデンサ３２の規定耐圧Ｖu以下（Ｖz≦Ｖu）に設定されている。そして、第１の整流回路１０の定電圧制御に伴って、平滑コンデンサ３２の端子間電圧がツェナーダイオード５０のツェナー電圧Ｖzまで上昇すると、ツェナーダイオード５０が導通状態となり、ツェナーダイオード５０を介してトランジスタ５１のベースに電流が供給される。
【００３７】
その結果、トランジスタ５１がＯＮし、トランジスタ４０のエミッタからベースに電流が供給される状態となって、トランジスタ４０がＯＮする。そして、第２の整流回路３０からトランジスタ４０を介して第２の負荷Ｌ2に電力供給されるようになる。これにより、平滑コンデンサ３２の端子間電圧の上昇が抑制されて、平滑コンデンサ３２の端子間電圧がツェナーダイオード４１のツェナー電圧Ｖz以下に維持されるため、平滑コンデンサ３２に規定耐圧Ｖu（≧Ｖz）を超える電圧が印加されることを防止することができる。
【００３８】
この場合、第２の整流回路３０から第２の負荷Ｌ2への電力供給はトランジスタ４０を介して行われ、ツェナーダイオード５０はトランジスタ５１をＯＮさせるために必要な電流の供給が可能であればよい。そのため、ツェナーダイオード５０として、上述した第１の実施の形態におけるツェナーダイオード４１よりもコストの安い、小電力用のツェナーダイオードを採用することができる。
【００３９】
［第３の実施の形態］次に、図２（ｂ）を参照して、第３の実施の形態について説明する。第３の実施の形態は、上述した第１の実施の形態に対して、平滑コンデンサ３２の端子間電圧が規定耐圧Ｖuを超えることを防止するための回路構成のみが相違する。そのため、他の構成については説明を省略する。
【００４０】
第３の実施の形態においては、アノードが第２の整流部３０の負側の出力部に接続されたツェナーダイオード６５と、エミッタが第２の整流回路３０の正側の出力部に接続されると共にベースがツェナーダイオード６５のカソードに接続されたトランジスタ６６（本発明のトランジスタに相当する）とが備えられている。なお、ツェナーダイオード６５とトランジスタ６６とにより、本発明のスイッチ回路閉成手段が構成される。
【００４１】
ここで、ツェナーダイオード６５のツェナー電圧Ｖz（本発明の上限電圧に相当する）は、上述した第１の実施の形態のツェナーダイオード４１と同様に、平滑コンデンサ３２の規定耐圧Ｖu以下（Ｖz≦Ｖu）に設定されている。そして、第１の整流回路１０の定電圧制御に伴って、平滑コンデンサ３２の端子間電圧がツェナーダイオード６５のツェナー電圧Ｖzまで上昇すると、ツェナーダイオード６５が導通状態となり、トランジスタ６６のエミッタからベースにツェナーダイオード６５を介して電流が供給される。
【００４２】
その結果、トランジスタ６６がＯＮし、トランジスタ６０のベースに電流が供給される状態となって、トランジスタ６０がＯＮする。そして、第２の整流回路３０からトランジスタ６０を介して第２の負荷Ｌ2に電力供給されるようになる。これにより、平滑コンデンサ３２に規定耐圧Ｖu（≧Ｖz）を超える電圧が印加されることを防止することができる。
【００４３】
この場合、第２の整流回路３０から第２の負荷Ｌ2への電力供給はトランジスタ６０を介して行われ、ツェナーダイオード６５はトランジスタ６６をＯＮさせるために必要な電流の供給が可能であればよい。そのため、ツェナーダイオード６５として、上述した第１の実施の形態におけるツェナーダイオード４１よりもコストの安い、省電力用のツェナーダイオードを採用することができる。
【００４４】
なお、上記第２の実施の形態においてはツェナーダイオード５０とトランジスタ５１とにより本発明のスイッチ回路閉成手段を構成し、上記第３の実施の形態においてはツェナーダイオード６５とトランジスタ６６とにより本発明のスイッチ回路閉成手段を構成したが、他の構成による場合であっても、第２の整流回路３０の出力電圧が平滑コンデンサ３２の規定耐圧Ｖu以下に設定した上限電圧以上となったときに、スイッチ回路（トランジスタ４０，トランジスタ６０）を閉成するスイッチ回路閉成手段を備えることにより、本発明の効果を得ることができる。
【図面の簡単な説明】
【００４５】
【図１】本発明の第１の実施の形態におけるスイッチング電源装置の回路構成図。
【図２】本発明の第２及び第３の実施の形態におけるスイッチング電源装置の回路構成図。
【図３】従来のスイッチング電源装置の回路構成図。
【符号の説明】
【００４６】
１…トランス、２…トランジスタ（スイッチング素子）、３…定電圧制御手段、１０…第１の整流回路、２０，２１…分圧抵抗、３０…第２の整流回路、４０…トランジスタ（スイッチ回路）、４１…ツェナーダイオード、Ｌ1…第１の負荷、Ｌ2…第２の負荷、５０…ツェナーダイオード、５１…（本発明の）トランジスタ、６０…トランジスタ（スイッチ回路）、６５…ツェナーダイオード、６６…（本発明の）トランジスタ
【図１】
2006333578.tif 000003
【図２】
2006333578.tif 000004
【図３】
2006333578.tif 000005